(57)【要約】【課題】被洗浄車両を跨ぎ得る門型フレームの内部に、被洗浄車両を洗浄する洗浄手段を備えた洗車機本体において、その洗車機本体の上面に降り落ちた雨水が、上面周縁から垂れて周面が汚れることを抑制し、かつ汚れの除去に費やす労力を減少させ、汚れの少ない洗車機本体を長期にわたり維持することができる。【解決手段】洗車機本体の上面は、洗車位置に進入する被洗浄車両５と対向する前側が高くなるように前後に傾斜した傾斜面３４を有し、その傾斜面３４の前部より上方に突出した前部突出物３６が、洗車機本体の左右方向に延びて形成されている洗車機。【選択図】      図３
2004175174.tif 000002
【特許請求の範囲】
【請求項１】
被洗浄車両を跨ぎ得る門型フレームと、その門型フレームの内部に設けられ前記被洗浄車両の車体表面を洗浄する洗浄手段とからなる洗車機本体を備え、その洗車機本体の上面は、洗車位置に進入する被洗浄車両と対向する前側が高くなるように前後に傾斜した平面状の傾斜面を有する洗車機であって、
前記上面における前部より上方に突出した前部突出物が該上面の左右方向に延び、前記傾斜面上を吹き上げられた雨水が前部突出物で塞ぎ止められて該傾斜面を流下するようにしたことを特徴とする洗車機。
【請求項２】
被洗浄車両を跨ぎ得る門型フレームと、その門型フレームの内部に設けられ前記被洗浄車両の車体表面を洗浄する洗浄手段とからなる洗車機本体を備え、その洗車機本体の上面は、洗車位置に進入する被洗浄車両と対向する前側が高くなるように前後に傾斜した平面状の傾斜面を有する洗車機であって、
前記上面における後部より上方に突出した後部突出物が該上面の左右方向に延び後部突出物は、前記洗浄時に被洗浄車両が位置し得る左右幅の上方に位置し、後部突出物の左端と右端は、前記左右幅の真上より外方にあることを特徴とする洗車機。
【請求項３】
被洗浄車両を跨ぎ得る門型フレームと、その門型フレームの内部に設けられ前記被洗浄車両の車体表面を洗浄する洗浄手段とからなる洗車機本体を備え、その洗車機本体の上面は、洗車位置に進入する被洗浄車両と対向する前側が高くなるように前後に傾斜した平面状の傾斜面を有する洗車機であって、
前記傾斜面における側部より上方に突出した側部突出物が該上面の前後方向に延びていることを特徴とする洗車機。
【請求項４】
被洗浄車両を跨ぎ得る門型フレームと、その門型フレームの内部に設けられ前記被洗浄車両の車体表面を洗浄する洗浄手段とからなる洗車機本体を備え、その洗車機本体の上面は、洗車位置に進入する被洗浄車両と対向する前側が高くなるように前後に傾斜した平面状の傾斜面を有する洗車機であって、
前記上面における前部より上方に突出した前部突出物が該上面の左右方向に延び、前記傾斜面における左側部と右側部とには、それぞれにその側部より上方に突出した側部突出物が前記上面の前後方向に延び、前部突出物の左端部と左側部の側部突出物とは、左側部の側部突出物と右側部の側部突出物との間における前部突出物よりも後方の雨水が流れ出ないよう繋がり、前部突出物の右端部と右側部の側部突出物とは、前記雨水が流れ出ないよう繋がり、前部突出物は、前記傾斜面上を吹き上げられた雨水を塞ぎ止めて該傾斜面を流下させることを特徴とする洗車機。
【請求項５】
被洗浄車両を跨ぎ得る門型フレームと、その門型フレームの内部に設けられ前記被洗浄車両の車体表面を洗浄する洗浄手段とからなる洗車機本体を備え、その洗車機本体の上面は、洗車位置に進入する被洗浄車両と対向する前側が高くなるように前後に傾斜した平面状の傾斜面を有する洗車機であって、
前記上面における後部より上方に突出した後部突出物が該上面の左右方向に延び、前記傾斜面における左側部と右側部には、それぞれにその側部より上方に突出した側部突出物が該上面の前後方向に延び、後部突出物は、前記洗浄時に被洗浄車両が位置し得る左右幅の上方に位置し、少なくとも一方の側部突出物とは間隔を有し、後部突出物の左端と右端とは、前記左右幅の真上より外方にあることを特徴とする洗車機。
【請求項６】
被洗浄車両を跨ぎ得る門型フレームと、その門型フレームの内部に設けられ前記被洗浄車両の車体表面を洗浄する洗浄手段とからなる洗車機本体を備え、その洗車機本体の上面は、洗車位置に進入する被洗浄車両と対向する前側が高くなるように前後に傾斜した平面状の傾斜面を有する洗車機であって、
前記上面における前部より上方に突出した前部突出物及び該上面における後部より上方に突出した後部突出物が該上面の左右方向に延び、前記傾斜面における左側部と右側部とには、それぞれにその側部より上方に突出した側部突出物が該上面の前後方向に延び、後部突出物は、前記洗浄時に被洗浄車両が位置し得る左右幅の上方に位置し、後部突出物の左端と右端とは、前記左右幅の真上より外方にあり、前部突出物の左端部と左側部の側部突出物とは、左側部の側部突出物間と右側部の側部突出物との間における前部突出物と後部突出物との間の雨水が流れ出ないよう繋がり、前部突出物の右端部と右側部の側部突出物とは、前記雨水が流れ出ないよう繋がり、後部突出物の左端部と左側部の側部突出物とは、前記雨水が流れ出ないよう繋がり、後部突出物の右端部と右側部の側部突出物とは、前記雨水が流れ出ないよう繋がり、前記前部、後部、左側部及び右側部の突出物で囲まれた前記上面の後縁近傍には、前記雨水を排出する排水口が設けられ、その排水口には、前記本体の内部を通る排水管路が繋がり、前部突出物は、前記傾斜面上を吹き上げられた雨水を塞ぎ止めて該傾斜面を流下させることを特徴とする洗車機。
【請求項７】
前記洗浄手段が前記被洗浄車両の車体表面を乾燥処理する乾燥手段であり、乾燥処理後の被洗浄車両は、前記洗車位置に進入するときの進行方向と同じ方向へ走行して該洗車位置から退出できることを特徴とする請求項２，５または６に記載の洗車機。
【発明の詳細な説明】
【０００１】
【発明の属する技術分野】
本発明は、洗車機本体内に設けた洗浄手段を備え、該洗浄手段により車両を洗浄する洗車機に関する。
【０００２】
【従来の技術】
従来より洗車機は、図２０及び図２１に示すように、被洗浄車両１０５をブラッシング洗浄するトップブラシやサイドブラシ等からなる洗浄ブラシ手段、及びトップノズルやサイドノズル等からなる乾燥手段等の洗浄手段を内部に設けた洗車機本体１００を備えて、多くの場合屋外に設置される。そのため、洗車機本体１００上に降った雨水や、積雪した雪の雪解け水が洗車機本体１００の上面から前面や側面等の外周面へ流れ該外周面を垂れて、雨水などに含まれるばい煙等で洗車機本体１００の前記外周面が汚れる問題があった。そこで、洗車機本体１００の上面１０１は、その上面１０１に降り落ちた雨水や雪解け水が後面１０２へと流れ落ちるように、後面１０２側が前面１０３側よりも低くなるように傾斜した傾斜面を有し（図２０には、洗車機本体１００の上面１０１の傾斜面の傾斜が誇張して描かれている）、洗車位置に車両１０５を進入させる車両１０５の運転手、顧客、作業員などからよく見える前面１０３や左右側面１０４に、汚れが付着することを防止するようになっている。
【０００３】
また、前記洗車機において、図２０に示すように、洗車機本体１００を走行レール１０８上で前進（図中、走行レール１０８の左側から右方への移動）させながら、トップノズルやサイドノズルなどの乾燥手段から被洗浄車両１０５に向け乾操用空気の吹付けを行い、洗車機本体１００の後面１０２が該車両１０５の右端（図２０参照）を過ぎた位置で洗車機本体１００の走行を停止させて洗車を終了し、その洗車を終わった状態から車両１０５が左方向（図２０参照）へ退出するようにした、所謂ドライブスルー式の洗車機が従来より知られている。
【０００４】
【発明が解決しようとする課題】
しかしながら、上記のように、洗車機本体１００の上面１０１が傾斜していても、例えば、後方からの横殴りの雨の時には上面１０１に落ちた雨水が前面１０３を垂れ、側方からの横殴りの雨の時には上面１０１に落ちた雨水が側面１０４を垂れて前面１０３及び側面１０４が汚れる問題があった。
【０００５】
そこで、洗車機本体１００の上面１０１の傾斜面の傾斜角度を大きくすれば、前面１０３及び側面１０４を垂れる雨水は減少し、前面１０３及び側面１０４の汚れを減少させることができる。しかし、洗車機本体１００の洗車許容高さ（被洗浄車両の最大高さ）を維持しつつ、上面１０１の傾斜面の傾斜を大きくすると、洗車機本体１００の高さが高くなる問題がある。
【０００６】
また、上面１０１に雨水の水溜りが残っている場合や、上面１０１に積雪がある場合、車体面に雨水や雪解け水が後面１０２から滴り落ちたり、前記積雪が落ちて、雨水や雪解け水や該積雪に含まれる汚れの原因となる物質が車体面に残る虞があった。
【０００７】
また、上記の洗車機本体１００を前進させながら車両１０５の乾操を行う洗車機では、上面１０１に雨水の水溜りが残っている場合や、上面１０１に積雪がある場合、乾燥ノズルによる乾燥が終わった車体面に、雨水や雪解け水が後面１０２から滴り落ちたり、前記積雪が落ちる問題があった。
【０００８】
本発明は、上記問題を解決するためになされたもので、洗車機本体の高さを抑えながら、上面に落ちた雨水が前面を垂れることを防止して、前面の汚れを減少させることを第一の目的とし、上面に落ちた雨水を側面に垂れることを防止して、側面の汚れを減少させることを第二の目的とし、被洗浄車両へ、上面に溜まった雨水や雪解け水が垂れたり、前記積雪が落ちるのを防止することができ、また、後面の汚れを減少させることを第三の目的とし、また、乾燥後の被洗浄車両へ、上面に溜まった雨水や雪解け水が垂れたり、前記積雪が落ちるのを防止することができ、また、後面の汚れを減少させることを第四の目的とする。
【０００９】
【課題を解決するための手段】
前記目的達成のため、本請求項１記載の発明は、被洗浄車両を跨ぎ得る門型フレームと、その門型フレームの内部に設けられ前記被洗浄車両の車体表面を洗浄する洗浄手段とからなる洗車機本体を備え、その洗車機本体の上面は、洗車位置に進入する被洗浄車両と対向する前側が高くなるように前後に傾斜した平面状の傾斜面を有する洗車機であって、
前記上面における前部より上方に突出した前部突出物が該上面の左右方向に延び、前記傾斜面上を吹き上げられた雨水が前部突出物で塞ぎ止められて該傾斜面を流下するようにしたことを特徴とし、また本請求項２記載の発明は、被洗浄車両を跨ぎ得る門型フレームと、その門型フレームの内部に設けられ前記被洗浄車両の車体表面を洗浄する洗浄手段とからなる洗車機本体を備え、その洗車機本体の上面は、洗車位置に進入する被洗浄車両と対向する前側が高くなるように前後に傾斜した平面状の傾斜面を有する洗車機であって、
前記上面における後部より上方に突出した後部突出物が該上面の左右方向に延び後部突出物は、前記洗浄時に被洗浄車両が位置し得る左右幅の上方に位置し、後部突出物の左端と右端は、前記左右幅の真上より外方にあることを特徴とし、さらに、請求項３記載の発明は、被洗浄車両を跨ぎ得る門型フレームと、その門型フレームの内部に設けられ前記被洗浄車両の車体表面を洗浄する洗浄手段とからなる洗車機本体を備え、その洗車機本体の上面は、洗車位置に進入する被洗浄車両と対向する前側が高くなるように前後に傾斜した平面状の傾斜面を有する洗車機であって、
前記傾斜面における側部より上方に突出した側部突出物が該上面の前後方向に延びていることを特徴とし、さらに、本請求項４記載の発明は、被洗浄車両を跨ぎ得る門型フレームと、その門型フレームの内部に設けられ前記被洗浄車両の車体表面を洗浄する洗浄手段とからなる洗車機本体を備え、その洗車機本体の上面は、洗車位置に進入する被洗浄車両と対向する前側が高くなるように前後に傾斜した平面状の傾斜面を有する洗車機であって、
前記上面における前部より上方に突出した前部突出物が該上面の左右方向に延び、前記傾斜面における左側部と右側部とには、それぞれにその側部より上方に突出した側部突出物が前記上面の前後方向に延び、前部突出物の左端部と左側部の側部突出物とは、左側部の側部突出物と右側部の側部突出物との間における前部突出物よりも後方の雨水が流れ出ないよう繋がり、前部突出物の右端部と右側部の側部突出物とは、前記雨水が流れ出ないよう繋がり、前部突出物は、前記傾斜面上を吹き上げられた雨水を塞ぎ止めて該傾斜面を流下させることを特徴とし、さらにまた本請求項５記載の発明は、被洗浄車両を跨ぎ得る門型フレームと、その門型フレームの内部に設けられ前記被洗浄車両の車体表面を洗浄する洗浄手段とからなる洗車機本体を備え、その洗車機本体の上面は、洗車位置に進入する被洗浄車両と対向する前側が高くなるように前後に傾斜した平面状の傾斜面を有する洗車機であって、
前記上面における後部より上方に突出した後部突出物が該上面の左右方向に延び、前記傾斜面における左側部と右側部には、それぞれにその側部より上方に突出した側部突出物が該上面の前後方向に延び、後部突出物は、前記洗浄時に被洗浄車両が位置し得る左右幅の上方に位置し、少なくとも一方の側部突出物とは間隔を有し、後部突出物の左端と右端とは、前記左右幅の真上より外方にあることを特徴とし、さらにまた、本請求項６記載の発明は、被洗浄車両を跨ぎ得る門型フレームと、その門型フレームの内部に設けられ前記被洗浄車両の車体表面を洗浄する洗浄手段とからなる洗車機本体を備え、その洗車機本体の上面は、洗車位置に進入する被洗浄車両と対向する前側が高くなるように前後に傾斜した平面状の傾斜面を有する洗車機であって、
前記上面における前部より上方に突出した前部突出物及び該上面における後部より上方に突出した後部突出物が該上面の左右方向に延び、前記傾斜面における左側部と右側部とには、それぞれにその側部より上方に突出した側部突出物が該上面の前後方向に延び、後部突出物は、前記洗浄時に被洗浄車両が位置し得る左右幅の上方に位置し、後部突出物の左端と右端とは、前記左右幅の真上より外方にあり、前部突出物の左端部と左側部の側部突出物とは、左側部の側部突出物間と右側部の側部突出物との間における前部突出物と後部突出物との間の雨水が流れ出ないよう繋がり、前部突出物の右端部と右側部の側部突出物とは、前記雨水が流れ出ないよう繋がり、後部突出物の左端部と左側部の側部突出物とは、前記雨水が流れ出ないよう繋がり、後部突出物の右端部と右側部の側部突出物とは、前記雨水が流れ出ないよう繋がり、前記前部、後部、左側部及び右側部の突出物で囲まれた前記上面の後縁近傍には、前記雨水を排出する排水口が設けられ、その排水口には、前記本体の内部を通る排水管路が繋がり、前部突出物は、前記傾斜面上を吹き上げられた雨水を塞ぎ止めて該傾斜面を流下させることを特徴としている。
【００１０】
前記洗浄手段が前記被洗浄車両の車体表面を乾燥処理する乾燥手段であり、乾燥処理後の被洗浄車両は、前記洗車位置に進入するときの進行方向と同じ方向へ走行して該洗車位置から退出できることを特徴とする。
【００１１】
そして、前記請求項各項記載の発明は、洗車機本体の上面に降り落ちた雨水が、上面周縁から垂れて、外周面が汚れることを、洗車機本体の上面の傾斜面の傾斜角を従来のものに比べて大きくすることなく抑制でき、延いては汚れの除去に費やす労力を減少させることができる。また、汚れの少ない洗車機本体を長期にわたり維持することができるという効果を奏する。
【００１２】
そして、請求項１に記載の発明によれば、前記効果に加えて、洗車機本体の上面に降り落ちた雨水が、洗車機本体の前面を垂れることを抑制して、雨水の垂れがもたらす前面への汚れの付着を減少させることができ、請求項２に記載の発明によれば、前記効果に加えて、洗車機本体の上面に降り落ちた雨水が垂れる後面部分を減少させて、汚れの付着する後面部分を減らすことができる。さらに、洗車機本体の上面に残った雨水や積雪やその雪解け水が、洗車機本体下に位置する被洗浄車両の車体面に落ちることを防止できて、洗車機を用いた洗浄効果を損なうことを防止でき、請求項３に記載の発明によれば、前記効果に加えて、洗車機本体の上面に降り落ちた雨水が、洗車機本体の側面を垂れることを抑制することができ、雨水の垂れがもたらす汚れの付着を減少させることができ、請求項４に記載の発明によれば、前記効果に加えて、洗車機本体の上面に降り落ちた雨水が、洗車機本体の前面や側面を垂れることを抑制することができ、雨水の垂れがもたらす汚れの付着を減少させることができ、請求項５に記載の発明によれば、前記効果に加えて、洗車機本体の上面に降り落ちた雨水が洗車機本体の側面を垂れることを抑制して、側面への汚れの付着を減少させるとともに、洗車機本体の上面に降り落ちた雨水が垂れる後面部分を減少させて、汚れの付着する後面部分を減らすことができ、さらに、本体上面に残った雨水や積雪やその雪解け水が、洗車機本体下に位置する被洗浄車両の車体面に落ちることを防止できて、洗車機を用いた洗浄効果を損なうことを防止でき、請求項６に記載の発明によれば、前記効果に加えて、前面、後面及び両側面のすべての面で、洗車機本体の上面から雨水が垂れることを抑制して汚れの付着を減少させることができ、さらに、本体上面に残った雨水や積雪やその雪解け水が、洗車機本体下に位置する被洗浄車両の車体面に落ちることを防止できて、洗車機を用いた洗浄効果を損なうことを防止でき、請求項７に記載の発明によれば、引用される請求項の効果の内の洗浄効果の１つである乾焼効果を損なうことを防止できる。すなわち、洗車機本体下に位置する被洗浄車両の乾燥処理の済んだ車体面に落ちないように防止できるので、洗車機を用いた乾燥効果を損なうことを防止できる。
【００１３】
【発明の実施の形態】
以下、本発明に実施の形態を、添付図面に示した本発明の実施例に基づいて説明する。
【００１４】
先ず、図１〜９を参照して本発明の第１実施例について説明する。
【００１５】
図１は、本発明の洗車機の概略側面図、図２は、その洗車機の概略平面図、図３は、洗車機本体の正面図、図４は、洗車機本体の側面図、図５は、洗車機本体の上面図、図６は、図５の６−６線に沿う拡大部分断面図、図７は、図５の７−７線に沿う拡大部分断面図、図８は、図５の８−８線に沿う拡大部分断面図、図９は、洗車機本体の傾斜上面部に斜め横方向から雨水がかかっている状態を示す図である。
【００１６】
図１及び２に示すように、本発明の洗車機本体１は、通常のように、被洗浄車両５を洗浄する洗浄手段として、該洗車機本体１に上下に移動可能に支持されて被洗浄車両５の上面を洗浄するトップブラシ２、洗車機本体１の左右方向に往復移動可能となるように、該洗車機本体１に支持される支持レール３ａに支持されて被洗浄車両５の前後面及び側面を洗浄する左右一対のサイドブラシ３，３等が適宜設けられている。また洗浄手段には、上記ブラシ等を用いた洗浄に続いて濡れた車体面の乾燥処理を行う乾燥手段も設けられている。その乾燥手段としては、洗車機本体１に内蔵された送風機に接続され、被洗浄車両５の上から空気を吹付ける空気噴出口のトップノズル６、及び被洗浄車両５の両側方から空気を吹付ける左右一対のサイドノズル７，７等が適宜設けられる。洗車機本体１は、底部に、図示しない駆動モータにより駆動される駆動走行輪８ａ及び従動走行輪８ｂが左右一対に備えられ、左右の駆動及び従動走行輪８ａ，８ｂが水平な床面に敷設した左右一対の走行レール９，９上に載置され、洗車機本体１は前後に往復移動するようになっている。
【００１７】
走行レール９，９間の床面には、被洗浄車両５のタイヤ位置でその被洗浄車両５を洗車位置に位置決めするタイヤストッパ１０が設けられる。洗車機本体１と対向して洗車位置に進入する被洗浄車両５の運転者は、そのタイヤストッパ１０により容易に走行レール９，９間の正規の洗車位置に被洗浄車両５を停止できるようになっている。その他、洗車機本体１は、図示はしていない貯水タンクや配水ポンプ等に配水パイプ等を介して接続され、それらの洗浄手段とともに洗車機を構成する。そして、洗車位置にある被洗浄車両５に対して洗車機本体１を所定回数、前進及び後進させてブラシ２，３，３でブラッシング洗浄し、最終行程で、洗車機本体１を走行レール９の前端部で折り返し後進させながら被洗浄車両５に対して、前記トップノズル６及びサイドノズル７により空気を吹き付けて乾燥処理を行うことによって、ブラッシング洗浄と乾燥処理とからなる一連の洗浄ができ、また、他の場所で水を用いて手作業により洗った被洗浄車両に対して、最初の前進で乾焼処理を行い、次の後進で再び乾燥処理を行う乾燥処理のみからなる洗浄を行うことができるようになっている。
【００１８】
図３に示すように、洗車機本体１は、被洗浄車両５を跨いで走行レール９，９上を走行できるように門型に形成されている。
【００１９】
図１及び図２に示される前面１１には、図３に示すように、左右両脚部１Ｌ，１Ｒと両脚部１Ｌ，１Ｒを繋ぐ上部１Ｕとで囲まれた前面開口１１ｏを有し、また、図１及び図２に示される後面１３には、両脚部１Ｌ，１Ｒと両脚部１Ｌ，１Ｒを繋ぐ上部１Ｕとで囲まれていて、図３において前面開口１１ｏと同じ位置に位置し、同じ大きさの後面開口１３ｏを有している。
【００２０】
前記サイドノズル７，７は、図３に示すように、両脚部１Ｌ，１Ｒより内方に出ており（すなわち、サイドノズル７，７の内端７Ａ，７Ａは、前面開口１１ｏ内に出ている）、そのサイドノズル７，７の内端７Ａ，７Ａ間が、洗浄時に被洗浄車両５が位置し得る左右幅Ｗと設定されている。右脚部１Ｒの前面には、洗車機本体１を備えた洗車機の各種動作を操作する操作パネル１２を備えている。
【００２１】
図３，４に示すように、門型の洗車機本体１の主体部を構成する本体フレーム１５は、骨格を構成する構造体の外側に、厚さ１ｍｍ以下の金属製等の外板を複数枚被着することで外表面が形成される。図６に最も明瞭に示すように、本体フレーム１５内部の左右両側の最上部には、コーナーフレーム部材１６が一体に設けられる。コーナーフレーム部材１６の外側上部は、断面円弧（Ｒ＝３０〜６０ｍｍ）形状が長手（前後）方向に続く曲面（以下、湾曲面という）となっている。コーナーフレーム部材１６は、本体フレーム１５の前後方向に延びており、前側１６Ａが高くなるように前後に傾斜している。ベースフレーム部材１７は、前後の駆動輪８ａ及び従動輪８ｂの回転軸を軸支して、走行レール９に対して平行に載置される。各側のコーナーフレーム部材１６，１６は、左右対称で同一高さとなり、両側のコーナーフレーム部材１６，１６間は、複数の中間フレーム部材１８…が洗車機本体１の左右方向に梁状に渡され、各中間フレーム部材１８は本体フレーム１５の左右方向に水平となる。これらのコーナーフレーム部材１６及び中間フレーム部材１８によって、本体フレーム１５の上面２０（以下、フレーム上面２０という）は、前後方向に傾斜して、左右方向断面においては水平な傾斜面を成す。フレーム上面２０は、傾斜の高位点であるフレーム上面２０の前端２０ａと、傾斜の低位点であるフレーム上面２０の後端２０ｂとで約２５ｍｍの高低差がある。また本体フレーム１５の前後長は約２３００ｍｍとなっているので、フレーム上面２０は緩やかな傾斜となっている。
【００２２】
本体フレーム１５の前面上部の前面フレーム部１５Ｆは、前側が金属製等の外板で上下及び左右の全面に亘って覆われて、前面ヘッド部２４が形成される（図３，４）。前面ヘッド部２４は、前面側の上縁部が曲面２４Ａになっていて、その曲面２４Ａは、前面ヘッド部２４の両側部へと続く。そして、その曲面２４Ａの後側すなわち前面ヘッド部２４の上面２４Ｂがほぼ水平になっている。
【００２３】
本体フレーム１５の左右両側面１４，１４には、側面外板２５がボルト等の固定部材で固定される。側面外板２５は、図６に示すように、コーナーフレーム部材１６の円弧形状に沿うように上部が内側に湾曲して、さらに、コーナーフレーム部材１６の円弧部分よりも内側の水平部分にまで延びている。この側面外板２５の水平部分上には、上面側部外板３０の側端部が重ねられる。図５に示すように、上面側部外板３０，３０間は、洗車機本体１の前後方向に３枚の上面中央外板３１，３２，３３を互いの縁部を重ね合わせて覆われる。そして、本体フレーム１５の後側は、後面外板３７で覆われる（図８参照）。後面外板３７は、フレーム上面２０側が僅かに上面中央外板３３に重なるように折り曲げられている。上面外板３０〜３３によりフレーム上面２０を覆うことで、洗車機本体１の左右方向断面においては水平で前後方向に傾斜した傾斜面３４が形成される。傾斜面３４は、各外板３０〜３３等の重なる部分で、その外板の板厚程度の段差はあるものの、ほぼ面一で、上記のフレーム上面２０（図４参照）の勾配に沿って一様に傾斜した平面状の傾斜面となる。
【００２４】
図５における符号１８，１８，１８，２１の引出線の引出部には、図示されていないが上面側部外板３０及び上面中央外板３１〜３３の下を、図４に示されている中間フレーム部材１８，１８，１８、前面フレーム部材２１が図５において縦方向に通っている。
【００２５】
なお、洗車機本体１の最後部には、後部カバー４７が取り付けられている（図１，２参照）。後部カバー４７は、本体フレーム１５の後面開口１３ｏから露出するサイドブラシ３部分を覆いながら、被洗浄車両５の洗浄に支障のない開口を確保している。
【００２６】
図６に示すように、上面側部外板３０等の各上面外板３０〜３３は、隣り合う外板との重なり部分を覆うように、上面外板３０〜３３の縁部に沿って薄手のテープ材３８が貼付され、そのテープ材３８によって、外板３０〜３３同士の隙間からの雨水の浸入を防止できるようになっている。なお、上記外板３０〜３３のいずれか、この実施例では上面中央外板３２には、洗車機本体１と外部装置とを繋ぐ配水ホース等を通すため、適当な個所に貫通口４４（図５参照）が設けられる。
【００２７】
傾斜面３４における左側部と右側部には、その傾斜面３４よりも上方に突出する側部突出物３５，３５が設けられる（図５，６参照）。側部突出物３５，３５は、上面側部外板３０，３０の側端３０Ａから約３００ｍｍの間隔を置いてその側端３０Ａに沿って形成されて、洗車機本体１の前後方向に延びている。側部突出物３５は、図６に示すように、薄板を中間部で直角に折り曲げたＬ字状断面の長尺アングル部材の一方の片３５Ｐによって形成される。
【００２８】
アングル部材の他方の片３５Ｌは、リベット等の固着部材を用いて上面外板３０，３０に固着されており、一方の片３５Ｐは傾斜面３４に対して垂直になっている。また、前記アングル部材は、他方の片３５Ｌが一方の片３５Ｐの外側になるよう取付けられている。
【００２９】
側部突出物３５となる一方の片３５Ｐの内向き面３５ａ及び外向き面３５ｂは、傾斜面３４に垂直になり、傾斜面３４上において塀状あるいは壁状となる。側部突出物３５は、傾斜面３４の前端付近から後端付近まで延びている。側部突出物３５を薄板状とすることで、内向き面３５ａより内側の傾斜面部分を広く採りつつ、外向き面３５ｂの外側の傾斜面部分を広くできるようになっている。左及び右側部の側部突出物３５，３５間は、洗車機本体１の左右方向では、駆動及び従動走行輪８ａ，８ａ間及び８ｂ，８ｂ間よりも幅狭で走行レール９，９間に位置し、各突出物３５は、門型の洗車機本体１の各脚部１ｌ，１ｒの中心延長線よりも内側になる（図２，３）。
【００３０】
図５，７に示すように、傾斜面３４には、その傾斜面３４における前部にも長尺アングル部材を固着することで前部突出物３６が形成される。前部突出物３６は、傾斜面３４の前端３４Ａに沿って形成され、洗車機本体１の左右方向に延びている。前部突出物３６を形成するアングル部材は、側部突出物３５を形成するアングル部材と同様に固着して形成される。左及び右側部の側部突出物３５，３５の前端間を繋ぐように前部突出物３６を形成する。そして、図５に明瞭に示すように、左及び右側部の側部突出物３５，３５と前部突出物３６とは、洗車機本体１の上方からみて、その洗車機本体１の後方に開放したコ字状に形成される。前部突出物３６となる一方の片３６Ｐは傾斜面３４の前端３４Ａから約２５ｍｍの間隔をあけて後方にあり、傾斜面３４内に形成されているので、一方の片３６Ｐは鉛直ではなく上部が僅かに洗車機本体１の後方に傾いたものとなっている（図７参照）。その一方の片３６Ｐの内向き面３６ａは洗車機本体１の後方を向き、外向き面３６ｂは洗車機本体１の前方を向く。前部突出物３６は、端部３６ｅが側部突出物３５を形成するアングル部材の他方の片３５Ｌの開放端３５Ｌｅ（外側端）まで延びていて、前部突出物３６の両端部３６ｅが側部突出物３５，３５から僅かに外側に突き出るようになっている。
【００３１】
前部突出物３６の左端部と左側部の側部突出物３５とは、左側部の側部突出物３５と右側部の側部突出物３５との間における前部突出物３６よりも後方（以下、「左側部の側部突出物３５と右側部の側部突出物３５との間における前部突出物３６よりも後方」を「突出物列の内側」という）の雨水が流れ出ないよう繋がり、前部突出物３５の右端部と右側部の側部突出物３５とは、前記雨水が流れ出ないよう繋がっている。
【００３２】
前部突出物３６と側部突出物３５，３５とによって、洗車機本体１の傾斜面３４には、前述のように、後方に開放した略コの字状に連続した突出物列が形成される。左及び右側部の側部突出物３５，３５や前部突出物３６を形成するアングル部材の他方の片３５Ｌ，３６Ｌの開放端３５Ｌｅ，３６Ｌｅには、その開放端３５Ｌｅ，３６Ｌｅを長手方向に覆うように他方の片３５Ｌ，３６Ｌから傾斜面３４に跨って上側からテープ材３９が貼付され（図７）、上面側部外板３０等との隙間をなくすようになっている。
【００３３】
図４，５に示すように、前面ヘッド部２４の外板は、上面側部外板３０及び上面中央外板３１の前端部と、本体フレーム１５の前面フレーム部材２１（図４）上で重ね合わされる。その上には、前部突出物３６のアングル部材の開放端３６Ｌｅを覆うテープ材３９の端部が重なる（図７参照）。
【００３４】
その他、傾斜面３４内には、側部突出物３５より外側に、運搬時に取り付ける吊り金具や固定金具用のボルト穴４５が、各側前後に各々２個づつ設けられる（図５参照）。
【００３５】
次ぎに、この第１実施例の作用について説明する。
【００３６】
洗車機本体１上に降り落ちる雨滴が少量の時には、ゆるやかに傾斜した傾斜面３４で雨水は傾斜に沿って緩やかに後方に流れて、後面１３を垂れて伝い落ちる。降雨が横殴のときは（以下、横雨という）、洗車機本体１の傾斜面３４が後方に向かって緩やかに傾斜しているだけでは、落下する雨滴群の降雨エネルギによって、さらには風も作用して、横雨の方向にしたがって雨水が流れようとする。本実施例の洗車機本体１では以下に示すように、洗車機本体の前面１１や両側面１４，１４の目立つ部分への雨水の垂れが抑制できる。
【００３７】
図９に示すように、洗車機本体１の右側より横雨が降っている場合、洗車機本体１の傾斜面３４上にある雨水は、洗車機本体１の傾斜面３４が左右方向には水平になっているので、容易に左側へ向かって流れようとする。この時雨水の流れは、左及び右側部の側部突出物３５，３５によって、左側部の側部突出物３５の左側（外側）の左傾斜面３４ａ、左及び右側部の両側部突出物３５，３５間の中間傾斜面３４ｂ、及び右側部の側部突出物３５の右側（外側）の右傾斜面３４ｃに別れる。中間傾斜面３４ｂでは、雨水は左側部の側部突出物３５に向かって流れる。その雨水の流れは、左側部の側部突出物３５の内向き面３５ａにより塞ぎ止められて左傾斜面３４ａへと流れることが阻止されて、左側部の側部突出物３５の内向き面３５ａに沿って、傾斜面３４の低位側である後方（図９紙面と直交する方向）へ向かって流れる。
【００３８】
左傾斜面３４ａでは、左傾斜面３４ａに落ちた雨水が、洗車機本体１の左側面１４に向かって流れ、左側面１４を垂れることになるが、中間傾斜面３４ｂからの雨水の流れがないことで、左側面１４を伝い落ちる雨水が減少するので、雨水に含まれる煤煙等が左側面１４に付着するのを減少できて、該左側面１４の汚れを減少させることができる。また、中間傾斜面３４ｂ上に乗っている粉塵、煤塵等の汚れの原因となる物質を、左側面１４へ雨水が流すのを防止できて、該左側面１４の汚れを減少させることができる。また、左傾斜面３４ａを流れる雨水流量は少なく汚れ物質を流す作用が弱いことと、雨水が流れる面積も少ないこととで、雨水が左側面１４へ流れる過程で含む汚れ物質の量を少なくできて、左側面１４の汚れを減少できる。
【００３９】
右傾斜面３４ｃでは、右の上面側部外板３０の側端３０Ａから右側部の側部突出物３５までの間隔Ｓが小さいと、右側部の側部突出物３５の外向き面３５ｂに直接当る雨滴が右傾斜面３４ｃへ流れて右側面１４を垂れる虞があるが、前記間隔Ｓを所定距離以上（第１実施例では、約３００ｍｍ）にすることで、右側部の側部突出物３５の外向き面３５ｂに直接当る雨滴が右側面１４を垂れることを防止している。すなわち、前記間隔Ｓを所定距離以上にすると、右側部の側部突出物３５の外向き面３５ｂに直接当って右傾斜面３４ｃへ流れた雨水は右傾斜面３４ｃに落ちた雨水と共に、右側面１４へ流れることなく右傾斜面３４ｃの低位側である後方（図９紙面と直交する方向）へ向かって流れる。これにより、右側部の側部突出物３５の外向き面３５ｂに直接当る雨滴が側面１４を垂れることを防止している。なお、前記間隔Ｓについては後述する。
【００４０】
後方から洗車機本体１に向かって降る横雨の場合、前部突出物３６より後方の傾斜面３４ｂでは、前方に向かう雨水の流れは、前部突出物３６の内向き面３６ａで塞ぎ止められる。したがって、前部突出物３６より後方の傾斜面３４ｂに落ちた雨水が前面１１へ流れるのを防止でき、前面１１の汚れを減少できる。
【００４１】
次に、前方から洗車機本体１の前面に向かって降る横雨の場合を説明する。
【００４２】
前部突出物３６の外向き面３６ｂに直接当る雨滴が前面１１を垂れる虞があるが、前部突出物３６を傾斜面３４の前端３４Ａから約２５ｍｍの間隔をあけて後方に設けることで、前部突出物３６の外向き面３６ｂに直接当る雨滴が前面１１を垂れることを防止している。すなわち、前部突出物３６よりも前方部分の２５ｍｍ幅（以下、「前部傾斜面」という）は、前上がりの傾斜した面になっているので、前部突出物３６の外向き面３６ｂに直接当って前記「前部傾斜面」に流れた雨水は、前面ヘッド部２４の上面２４Ｂに流れることなく該「前部傾斜面」上を洗車機本体１の左右方向へ流れる。また、前面ヘッド部２４の上面２４Ｂに落ちた雨水は、前記「前部傾斜面」へ流れ、前部突出物３６の外向き面３６ｂに直接当った雨水と共に該「前部傾斜面」上を洗車機本体１の左右方向へ流れる。そして、前記左右方向へ流れた雨水は、左傾斜面３４ａ、右傾斜面３４ｂを洗車機本体１の後方へ流れる。これにより、前部突出物３６の外向き面３６ｂに直接当る雨滴が前面１１を垂れることを防止している。
【００４３】
さらに、前述したように、前部突出物３６の左端部と左側部の側部突出物３５とは、「突出物列の内側」の雨水が流れ出ないよう繋がり、前部突出物３５の右端部と右側部の側部突出物３５とは、「突出物列の内側」の雨水が流れ出ないよう繋がって、図５に示すように、「突出物列の内側」の雨水を確実に後方に流すようになっている。すなわち、側方からの横雨時には、側部突出物３５の内向き面３５ａで塞ぎ止められた雨水の一部が、側部突出物３５の内向き面３５ａに沿つて傾斜面３４の高位側である前方に流れるが、その前方への流れは、前部突出物３６の内向き面３６ａによって塞ぎ止められ、前面１１や側面１４へ流れるのを防止される。
【００４４】
また後からの横雨時には、前部突出物３６の内向き面３６ａによって塞ぎ止められた雨水の一部が、前部突出物３６の内向き面３６ａに沿って側部突出物３５の方に流れるが、その側部突出物３５の方への流れは、側部突出物３５の内向き面３５ａによって塞ぎ止められ、前面１１や側面１４へ流れるのを防止される。
【００４５】
したがって、どの方向からの横雨でも、「突出物列の内側」に降り落ちた雨滴は、側部突出物３５の内向き面３５ａと前部突出物３６の内向き面３６ａによって塞ぎ止められて、前部突出物３６及び側部突出物３５，３５で形成した平面コ字状の突出物列の開放側である後方へと流れ、洗車機本体１の後面１３へと流れることとなる。このようにして、前面１１及び側面１４を垂れる雨水を減少させて、前面１１及び側面１４が雨水に含まれる煤煙や傾斜面３４上に乗っている粉塵、煤塵等の汚れの原因となる物質で汚れるのを減少させる。
【００４６】
なお、上面側部外板３０の側端３０Ａから側部突出物３５までの間隔Ｓは、１５〜４００ｍｍが望ましい。すなわち、前記間隔Ｓが１５ｍｍ未満では、側部突出物３５の外向き面３５ｂに直接当る雨滴が側面１４を垂れる虞がある。また、４００ｍｍを超えると、側面１４を垂れる雨水を減少させることができない。
【００４７】
側部突出物３５，３５及び前部突出物３６は、傾斜面３４から５〜２０ｍｍが望ましい。すなわち、５ｍｍ未満では、「突出物列の内側」から前面１１や側面１４へ流れる雨水を効果的に塞ぎ止めることができない。また、２０ｍｍを超えると、「突出物列の内側」から前面１１や側面１４へ流れる雨水を塞ぎ止める効果が向上しない。
【００４８】
また、側部突出物３５，３５及び前部突出物３６を、洗車機本体１の上面に設けたので、前面や側面の上端部のデザインを損なうこともない。
【００４９】
なお、この第１実施例では、洗車の最終行程の乾燥処理を、洗車機本体を後進させながらするものとしたが、前進しながら被洗浄車両５に空気を吹付けるもの、あるいは後進しながらの乾燥処理の後にさらに前進しながら乾燥処理を行うものとしても、前面及び側面の汚れ防止効果は同様に得ることができる。
【００５０】
なお、傾斜面３４と前面ヘッド部の上面２４Ｂとで、本発明における「洗車機本体の上面」を構成する。
【００５１】
次ぎに、図１０，１１を参照して、本発明の第２実施例について説明する。
【００５２】
図１０は、洗車機本体の上面図、図１１は、図１０の１１−１１線に沿う部分拡大断面図であり、図中、前記第１実施例と同じ要素には、同じ符号が付される。
【００５３】
この第２実施例では、洗車機本体１の前面ヘッド部２４にモール部材４０を追加したものであり、図１０に示すように、前面ヘッド部２４は、洗車機本体１の左右方向に３分割して形成される。前面ヘッド部２４の両側部をなすサイドヘッドパネル２２，２２は樹脂製（厚さ２ｍｍ程度）で形成される。サイドヘッドパネル２２，２２間において前面ヘッド部２４の中央部をなす中央ヘッドパネル２３は金属製薄板で形成される。すなわち、前面フレーム部１５Ｆ（図４参照）は、サイドヘッドパネル２２，２２と中央ヘッドパネル２３で覆われる。前面ヘッド部２４の上面は、第１実施例と同様に、水平な上面２４Ｂ（図４参照）を有している。
【００５４】
中央ヘッドパネル２３の左右寸法は、洗車機本体１の左右寸法の１／３以上になっている。中央ヘッドパネル２３の上面２４Ｂの後端部は、上面中央外板３１の前端部上に重ねられて、前面フレーム部材２１にボルト等を用いて固定される。
【００５５】
サイドヘッドパネル２２，２２の上面２４Ｂの後端部には、モール部材４０，４０が固定されている。サイドヘッドパネル２２は、図１１に示すように、上面２４Ｂの後端を、前面フレーム部材２１上で上面中央外板３１、上面側部外板３０の前端に突き合わせて、その突き合わせた部分を覆うように、テープ材４３が貼付される。テープ材４３上には、テープ材３９が重なる。上面モール部材４０は、前面フレーム部材２１との間にテープ材３９，４３と共に上面中央外板３１、上面側部外板３０の前端部を挟んで、前面フレーム部材２１にボルト等で固定される。モール部材４０，４０は、サイドヘッドパネル２２と上面中央外板３１、上面側部外板３０との突き合わした部分を跨ぎ、中央ヘッドパネル２３の側端近傍を始端にして側面１４方向に延びて、側面１４側の端部が前部突出物３６の端部３６ｅよりも外側で、上面側部外板３０の側端３０Ａよりも内側となる位置まで延びている。側面外板２５とサイドヘッドパネル２２との突き合せ部分には、コーナーモール部材４１が位置している。コーナーモール部材４１は、本体フレーム１５との間に側面外板２５の前端部を挟んで、ボルト等を用いて固定される。コーナーモール部材４１は、側面外板２５の前端に沿って延び、側面１４から断面円弧状のコーナー部へと続き、さらに上面２４Ｂへと湾曲して、上面側部外板３０の前端部に僅かにかかるようになっている。コーナーモール部材４１の上面２４Ｂ側端と上面モール部材４０の側面１４側端とは数十ｍｍの間隔となる。
【００５６】
各モール部材４０，４１の裏面は、図１１に示すように、サイドヘッドパネル２２側が下部を切欠いた薄肉部となっていて、上面中央外板３１、上面側部外板３０や側面外板２５とサイドヘッドパネル２２との厚みの違いを許容するように、また、樹脂製のサイドヘッドパネル２２の僅かな変形を許容するようになっている。
【００５７】
このように、前部突出物３６の前方の上面２４Ｂには、前面ヘッド部２４の中央部分を除いて、サイドヘッドパネル２２と上面中央外板３１及び上面側部外板３０との突き合せ部分に、モール部材４０からなる凸部が形成されることになる。前部突出物３６と上面モール部材４０との間には、洗車機本体１の左右方向に延びる凹部が形成されることにもなる。各モール部材４０，４１の厚さは３ｍｍとなっていて、モール部材４０，４１からなる凸部は前部突出物３６より低くなっている。なお、モール部材４０，４１からなる凸部は、前部突出物３６の高さの１／２〜１／５程度にすると良く、２〜５ｍｍにすると良い。
【００５８】
以下、この第２実施例の作用について説明する。
【００５９】
洗車機本体１に向かって前方より横雨が降っている場合に、中央ヘッドパネル２３の上面を流れて前部突出物３６の中央部分で塞ぎ止められる雨水は、前部突出物３６とモール部材４０との間の凹部へと流れ、前部突出物３６に沿って側面１４側へと流れ易くなり、前面ヘッド部２４の上面２４Ｂから前面１１に流れ落ちる雨水は減少する。
【００６０】
次ぎに、図１２，１３を参照して、本発明の第３実施例について説明する。
【００６１】
図１２は、本発明の洗車機の概略側面図、図１３は、洗車機本体の上面図であり、図中、前記第１，２実施例と同じ要素には、同じ符号が付される。
【００６２】
この第３実施例が、実施例１と異なる点は、図１２に示すように、トップノズル６、サイドノズル７がトップブラシ２，サイドブラシ３よりも洗車機本体１の後面側、つまり洗車機本体１内の後部に備えられている。洗車機本体１の後面１３は、傾斜面３４の後端下にほぼ面一で広がっている。そして、洗車の最終行程で、洗車機本体１が前進しながら、洗車位置にある被洗浄車両５に向かってトップノズル６、サイドノズル７で空気を吹付ける乾燥処理を行ない、洗車機本体１の後部が被洗浄車両５を通過した後、洗車機本体１を走行レール９の前端位置で停止する。その洗車機本体１が停止した状態で、被洗浄車両５の全洗車行程は終了し、被洗浄車両５は、洗車機本体１を潜ることなく、洗車前に洗車位置に進入した向きと同じ向き（図１２矢印ｘ方向）に退出することができるようになっている。このように、被洗浄車両５が洗車位置に進入してから、その被洗浄車両５が洗車機本体１の走行範囲外に退出し終わるまでの間に、洗車機本体１の後面１３が被洗浄車両５の真上に位置するのは、前記最終行程において乾燥処理を終わった被洗浄車両５上を通過するときが最後になっている。
【００６３】
図１３に示すように、洗車機本体１の上面には、傾斜面３４の後部に後部突出物５５が形成され、傾斜面３４の左側部及び右側部に側部突出物３５，３５が第１実施例と同様に形成されている。
【００６４】
後部突出物５５は、側部突出物３５，３５と同様に長尺のアングル部材を用いて形成する。そのアングル部材は、傾斜面３４の後端に沿って、その後端の近傍に固着部材を用いて固着され、側部突出物３５と同様に、アングル部材の一方の片によって塀状あるいは壁状の後部突出物５５となる。そして、後部突出物５５の左端５５Ｌは、左側部の側部突出物３５よりも左側面１４側に延び、右端５５Ｒは、右側部の側部突出物３５よりも右側面１４側に延びている。また、左端５５Ｌは、第１実施例で述べた左右幅Ｗの真上より外方（左側面１４側）にあり、右端５５Ｒは、前記左右幅Ｗの真上より外方（右側面１４側）にあり、さらに、左端５５Ｌは、後部開口１３ｏの真上より外方（左側面１４側）にあり、右端５５Ｒは、後部開口１３ｏの真上より外方（右側面１４側）にあり、左端５５Ｌ及び右端５５Ｒは左右の門型脚部１ｌ，１ｒのほぼ中央上に位置している。また、後部突出物５５は走行レール９，９間寸法よりは幅狭（短尺）で、走行レール９，９間上に位置している。左及び右側部の側部突出物３５，３５は、前端が傾斜面３４の前端から７０ｍｍ後方まで、後端が後部突出物よりも８０〜１００ｍｍ前方まで延びている。後部突出物５５の両端５５Ｌ，５５Ｒは、左及び右側部の側部突出物３５，３５とは不連続で、その不連続部分による開放部は洗車機本体の側面１４に面することになる。
【００６５】
以下に、この第３実施例の作用について説明する。
【００６６】
以上の構成によると、左及び右側部の左右の側部突出物３５，３５は、第１実施例と同様に作用し、洗車機本体１上から流れ、側面１４，１４を垂れる雨水を減少させる。後部突出物５５は、洗車機本体１上に降り落ちた雨滴が傾斜面３４に沿って、傾斜面３４から後面１３へと流れ落ちるのを塞ぎ止める。後部突出物５５に塞ぎ止められた雨水は、後部突出物５５に沿って左右に流れ、後部突出物５５の両端５５Ｌ，５５Ｒの外側から後方へ流れて、後面１３を垂れることとなる。傾斜面３４から後面１３へと流れた雨水は、後面開口１３ｏの外側の脚部１ｌ，１ｒの中間部を流れ落ち、後面開口１３ｏの内側には垂れることがない。このように後部突出物５５は、後面１３に起きる雨水の垂れる個所を減少させる。
【００６７】
降雪後に洗車機本体１の上に積雪が残っている状態で洗車を行うと、洗車機本体１上に雨水等が滞留しないように設けた傾斜面３４によって、後面１３に向かって融雪水が流れる。特に洗車機本体１の移動時の振動で傾斜面３４の融雪水の流れ落ちが促進されることとなり得るが、後部突出物５５が融雪水の流れを塞ぎ止めるので、後面開口１３ｏ上では、傾斜面３４からの融雪水の垂れは起こらない。洗車機本体１の後面１３は、全洗車行程の最後に被洗浄車両５上を通過するので、乾燥処理済みの被洗浄車両５上に水滴が落下して洗車済みの被洗浄車両５を濡らしたり、汚したりすることも防止する。
【００６８】
また、後部突出物５５は、上面の積雪が滑り落ち洗車機本体１下に位置する被洗浄車両５上に落下することも防止する。さらに、雨上り直後に洗車をする場合では、傾斜面３４に水溜りが残っていると、洗車機本体１の移動の際に、上記融雪水と同じように、被洗浄車両５上に雨滴が落下することもあるが、後部突出物５５はそれも防止できる。
【００６９】
なお、後部突出物５５は、少なくとも左端５５Ｌは、前記左右幅Ｗの真上より外方（左側の側面１４側）とし、右端５５Ｒは、前記左右幅Ｗの真上より外方（右側の側面１４側）とするのが良い。
【００７０】
また、後部突出物５５のアングル部材の一方の片の外向き面を後面１３と面一となるようにしても良い。また、後部突出物５５が左及び右側部の側部突出物３５，３５の間隔よりも幅広に形成されているために、側部突出物３５，３５の後端が後部突出物５５よりも前方位置となっているが、側部突出物３５，３５をより傾斜面３４の側端３０Ａに近い位置とした場合や、後部突出物５５の左右幅をより狭くした場合等、後部突出物５５の左右幅が左及び右側部の側部突出物３５，３５の間隔よりも狭い場合には、側部突出物３５，３５の後部側端物を洗車機本体１の後面１３と面一とする等で、より後面１３に近い位置まで延ばすこともできる。このようにすると側部突出物３５，３５と後部突出物５５との間の開放部は、側面１４でなく後面１３に面するようになる。
【００７１】
なお、後部突出物は、第１実施例の洗車機に実施することができる。この場合は、上面に雨水の水溜りが残っている場合や、上面に積雪がある場合、ブラッシング洗浄と乾燥処理との間に、前記雨水や雪解け水や積雪が車体面に落ちることを防止して、雨水や雪解け水や該積雪に含まれる汚れの原因となる物質が車体面に残るのを防止できる。
【００７２】
次ぎに、図１４〜１６を参照して、本発明の第４実施例について説明する。
【００７３】
図１４は、本発明の洗車機の洗車機本体の正面図、図１５は、その洗車機本体の上面図、図１６は、図１５の１６−１６線に沿う部分拡大断面図であり、図中、前記第１〜３実施例と同じ要素には、同じ符号が付される。
【００７４】
図１５に示すように、洗車機本体１の傾斜面３４には、左及び右側部の側部突出物３５，３５、前部突出物３６及び後部突出物５５が共に設けられている。各突出物３５，３５，３６，５５は、８ｍｍ角の矩形断面で長尺のゴム状部材によって形成されている。ゴム状部材は、底面を上面外板に両面接着テープで接着することで固定される。変形の比較的容易なゴム状の部材を使用することで、各突出物同士の接続部分の寸法合わせが容易である。洗車機本体１の上面には、洗車機の作動状態を利用者等に知らせる表示手段として、パトライト６７が備えられる。パトライト６７は、支持台座６８に固定されて、支持台座６８は、底片部６８ａをボルト等を用いて本体フレーム１５に固定されている。そして、支持台座６８の側縁が右側部の側部突出物３５の内側面にほぼ接するようになっていて、支持台座６８の前端は、側部突出物３５の前端よりも前方で傾斜面３４の前端までとなっている。
【００７５】
図１５に示すように、側部突出物３５は、傾斜面３４の側端の近傍に形成されている。側部突出物３５の上側は、傾斜面３４（上面側部外板３０）の側端３０Ａを覆うテープ材３８によって覆われている。
【００７６】
図１５に戻って、前部突出物３６は、左及び右側部の側部突出物３５，３５の前端面に接するように前側に固定され、上記第１〜３実施例の前部突出物３６と同様に、傾斜面３４の前端から２５ｍｍ後方位置になっている。そして、前部突出物３６は、左端面を左側部の側部突出物３５の外向き面と面一にして、右端面を右側部の側部突出物３５の内側にある支持台座６８の底片部６８ａの側端面に接するように延びている。
【００７７】
後部突出物５５は、傾斜面３４の後部よりも僅かに前方で、側部突出物３５，３５を内側で繋ぐように、両端がそれぞれ側部突出物３５の内向き面に接続して固定されている。そして、後部突出物５５の外向き面は、側部突出物３５の後端面と面一になっている。
【００７８】
これらの突出物３５，３５，３６，５５によって突出物列が形成されて、前部突出物３６の右端と右側部の側部突出物３５間は支持台座６８（底片６８ａ）を介して閉じていて、他の隣り合う突出物の端部同士の接続部分が閉じているので、突出物列は支持台座６８と共に、傾斜面３４内の適当な領域を囲むように繋がっていて、閉じた略ロの字型になっている。
【００７９】
突出物列によって囲まれた領域内側の傾斜面３４には、その領域内側にある雨水を排出する排出口６２が設けられる。排出口６２は、後部突出物５５と側部突出物３５との接続部分である角部の近傍に、左右それぞれ設けられる。図１４に示すように、排出口６２は、上面外板の開孔を入口にして、本体フレーム１５に固定された部材６３の雌ねじを設けた貫通孔に通じる。その雌ねじ孔に雄ねじ部をねじ込まれて接続された接続パイプは、さらに、ジョイント部材６４を介して排水ホース６５へと繋がる。ジョイント部材６４は、洗車機本体１内に備えられた機器を適宜よけ得るように適当な向きに曲がる曲がり部を有する。排水ホース６５は、側面外板２５のすぐ内側を、本体フレーム１５の上下に延びるフレーム部材に固定されて、駆動及び従動走行輪８ａ，８ｂを駆動する駆動部をよけながら洗車機本体６１の下端付近まで延びている。そして、ホース６５の先端は、排出する雨水が走行レール９，９をよけ得るように、また駆動及び従動走行輪８ａ，８ｂや、駆動走行輪８ａに駆動力を伝達する駆動伝達手段（チェーン）の外側になるように向いている。
【００８０】
突出物列３５，３５，３６，５５の内側の雨水は、後方へ流れて、後部突出物５５、側部突出物３５、及びそれらの閉じた接続部分によって塞ぎ止められて、突出物外へ流出しなくなっている。そして、塞ぎ止められた雨水は、排出口６２内へと流れ、洗車機本体１内に形成された排水管路となるホース６５内などを通り流れ落ち、走行レール９外側の床面へと排出される。
【００８１】
なお、突出物３５，３５，３６，５５は前記の実施例のようにアングル部材によって形成することもできる。また、アングル部材とゴム状部材とを適宜組み合わせて形成しても良い。他の実施例でも同じように、突出物３５，３５，３６，５５にゴム状部材を使用することもできる。
【００８２】
上記のように、隣合う突出物同士の接続部分や、各部の突出物の形成経路上に表示手段等の付属機器がある場合には、その付属機器とともに各部の突出物や突出物列を形成すれば良く、そのような付属機器がない場合には、突出物のみによって、各部突出物や、複数の突出物が接続した突出物列を形成すれば良い。
【００８３】
つぎに、前記第１〜４実施例の部分的な変形例について、図１７〜１９を参照して説明すると、前記第１〜４実施例では、洗車機本体１の上面に突出物３５，３５，３６，５５を形成するために、上面外板に長尺部材を固着したものを示したが、図１７（ａ），（ｂ），（ｃ）に示すように、上面外板３０等の端部又は中間部等の一部を、上面外板の一方の面から突出するように折り曲げて、その折り曲げられた折曲げ部によって各辺の突出物、たとえば、側部突出物３５について述べれば、図１７（ａ）は、上面側部外板３０の中間部を折り曲げたものを示す。図１７（ｂ）は、上面側部外板３０の外側の側部を折り曲げたものを示す。図１７（ｃ）は、上面側部外板３０の内側の側部を折り曲げたものを示す。図１７（ｄ）に示すように、側面外板２５や後面外板３７等、側面（又は後面）から上面へと湾曲してまわり込んだ外板の上面内側端部を折曲げ部にして側部突出物３５（又は後部突出物５５）を形成することもできる。
【００８４】
また、図１８に示すように、上面側部外板３０より内側にある上面中央外板３２（３３）の側部を折り曲げて突出物、たとえば、側部突出物３５を形成しても良い。また、上面外板３２の左側部及び右側部をそれぞれ折り曲げて、１枚の上面外板上に左右２つの側部突出物３５，３５を形成しても良い。図１９に示すように、さらに前部を折り曲げて前部突出物３６を形成して、上面を形成する１つの部材に前部突出物３６と左及び右側部の側部突出物３５，３５とからなる突出物列を形成することもできる。このように、上面外板等を折り曲げて突出物を形成する場合には、これらの突出物が上記した適性位置になるように、上面を形成する部材の寸法等を設定する。
【００８５】
なお、上面外板等の折曲げ部による突出物と、前述のアングル部材による突出物とを組み合わせて突出物列を形成することもできる。
【００８６】
以上本発明の一実施例について説明したが、本発明はその実施例に限定されることなく、本発明の範囲内で種々の実施例が可能である。
【００８７】
たとえば、本実施例のように上面に突出物よりなる突出物列を形成した洗車機本体では、さらに、側面等に樋を設けてもよい。本発明の側部突出物を設けると、どのような向きに雨滴が降り落ちても、上面に降り落ちる雨滴は、かなりの割合で側面等の外周面へ垂れることが阻止されるので、側面等への雨水の垂れは極めて少量となる。従って、樋を形成する場合にも、目立たないように小さい樋としても、樋から雨水が溢れ難いものになる。
【００８８】
また、上記実施例では、いずれも停止した被洗浄車両に対して、洗車機本体が移動して洗車を行うものを示したが、洗車機本体のみでなく、被洗浄車両を移動させる移動手段を設け、洗車機本体とともに、被洗浄車両を移動しながら洗車を行う洗車機であっても良い。さらに、洗車機本体を固定されたものとし、被洗浄車両を、洗車機本体下をくぐり抜けるように移動・通過させて洗車を行うものであっても良い。
【００８９】
洗浄手段は、被洗浄車両に向けて洗浄液や洗浄水等を噴出するノズル等からなる洗浄液噴出手段も含むものでも良い。洗浄液噴出手段は、車体面の汚れを洗い流したり、車体面に艶を与えるために洗浄液等で車体面を濡らす。また洗浄手段は、上記のブラシを備えず、洗浄液噴出手段と乾燥手段とを含んで構成されたものとしても良い。
【００９０】
また、前部突出物は、第１実施例において、前面ヘッド部２４の上面２４Ｂに形成してもよい。
【００９１】
【発明の効果】
前記請求項各項記載の発明によれば、洗車機本体の上面に降り落ちた雨水が、上面周縁から垂れて、外周面が汚れることを、洗車機本体の上面の傾斜角を従来のものに比べて大きくすることなく抑制でき、延いては汚れの除去に費やす労力を減少させることができる。また、汚れの少ない洗車機本体を長期にわたり維持することができるという効果を奏する。
【００９２】
請求項１に記載の発明によれば、前記効果に加えて、洗車機本体の上面に降り落ちた雨水が、洗車機本体の前面を垂れることを抑制して、雨水の垂れがもたらす前面への汚れの付着を減少させることができる。
【００９３】
請求項２に記載の発明によれば、前記効果に加えて、洗車機本体の上面に降り落ちた雨水が垂れる後面部分を減少させて、汚れの付着する後面部分を減らすことができる。さらに、洗車機本体の上面に残った雨水や積雪やその雪解け水が、洗車機本体下に位置する被洗浄車両の車体面に落ちることを防止でき、洗車機を用いた洗浄効果を損なうことを防止できる。
【００９４】
請求項３に記載の発明によれば、前記効果に加えて、洗車機本体の上面に降り落ちた雨水が、洗車機本体の側面を垂れることを抑制することができ、雨水の垂れがもたらす汚れの付着を減少させることができる。
【００９５】
請求項４に記載の発明によれば、前記効果に加えて、洗車機本体の上面に降り落ちた雨水が、洗車機本体の前面や側面を垂れることを抑制することができ、雨水の垂れがもたらす汚れの付着を減少させることができる。
【００９６】
請求項５に記載の発明によれば、前記効果に加えて、洗車機本体の上面に降り落ちた雨水が洗車機本体の側面を垂れることを抑制して、側面への汚れの付着を減少させるとともに、洗車機本体の上面に降り落ちた雨水が垂れる後面部分を減少させて、汚れの付着する後面部分を減らすことができる。さらに、本体上面に残った雨水や積雪やその雪解け水が洗車機本体下に位置する被洗浄車両の車体面に落ちることを防止でき、洗車機を用いた洗浄効果を損なうことを防止できる。
【００９７】
請求項６に記載の発明によれば、前記効果に加えて、前面、後面及び両側面のすべての面で、洗車機本体の上面から雨水が垂れることを抑制することができ、汚れの付着を減少させることができる。さらに、本体上面に残った雨水や積雪やその雪解け水が、洗車機本体下に位置する被洗浄車両の車体面に落ちることを防止できて、洗車機を用いた洗浄効果を損なうことを防止できる。
【００９８】
請求項７に記載の発明によれば、引用される請求項の効果の内の洗浄効果の１つである乾燥効果を損なうことを防止できる。すなわち、洗車機本体下に位置する被洗浄車両の乾燥処理の済んだ車体面に落ちないように防止できるので、洗車機を用いた乾燥効果を損なうことを防止できる。
【図面の簡単な説明】
【図１】本発明の洗車機の概略側面図（第１実施例）
【図２】その洗車機の概略平面図
【図３】洗車機本体の正面図
【図４】洗車機本の側面図
【図５】洗車機本体の上面図
【図６】図５の６−６線に沿う拡大部分断面図
【図７】図５の７−７線に沿う拡大部分断面図
【図８】図５の８−８線に沿う拡大部分断面図
【図９】洗車機本体の傾斜面に斜め横方向から雨水がかかっている状態を示す図
【図１０】本発明の洗車機の概略側面図（第２実施例）
【図１１】図１０の１１−１１線に沿う部分拡大断面図
【図１２】本発明の洗車機の概略側面図（第３実施例）
【図１３】洗車機本体の上面図
【図１４】本発明の洗車機の洗車機本体の正面図（第４実施例）
【図１５】本発明の洗車機の洗車機本体の上面図
【図１６】図１５の１６−１６線に沿う部分拡大断面図
【図１７】洗車機本体の上面の変形例を示す部分断面図
【図１８】洗車機本体の上面の変形例を示す部分断面図
【図１９】洗車機本体の上面の変形例を示す斜視図
【図２０】従来の洗車機本体を備えた洗車機の概略側面図
【図２１】従来の洗車機本体の正面図
【符号の説明】
１・・・・・・・・・・洗車機本体
５・・・・・・・・・・被洗浄車両
１５・・・・・・・・・本体フレーム（門型フレーム）
３４・・・・・・・・・傾斜面
３５・・・・・・・・・側部突出物
３６・・・・・・・・・前部突出物
５５・・・・・・・・・後部突出物
６２・・・・・・・・・排出口
６５・・・・・・・・・排水管路（排水ホース）
【図１】
2004175174.tif 000003
【図２】
2004175174.tif 000004
【図３】
2004175174.tif 000005
【図４】
2004175174.tif 000006
【図５】
2004175174.tif 000007
【図６】
2004175174.tif 000008
【図７】
2004175174.tif 000009
【図８】
2004175174.tif 000010
【図９】
2004175174.tif 000011
【図１０】
2004175174.tif 000012
【図１１】
2004175174.tif 000013
【図１２】
2004175174.tif 000014
【図１３】
2004175174.tif 000015
【図１４】
2004175174.tif 000016
【図１５】
2004175174.tif 000017
【図１６】
2004175174.tif 000018
【図１７】
2004175174.tif 000019
【図１８】
2004175174.tif 000020
【図１９】
2004175174.tif 000021
【図２０】
2004175174.tif 000022
【図２１】
2004175174.tif 000023